(57)【要約】      （修正有）【課題】外部記憶媒体を用いた設定が可能な構成において、複数の外部記憶媒体を用いた設定作業をより円滑に行うことができるケーブルテレビ局装置およびケーブルテレビ局システムを提供する。【解決手段】外部記憶媒体を用いた設定が可能なケーブルテレビ局装置１０１であって、ケーブルテレビ局装置１０１における異なる設定事項のための複数の外部記憶媒体５１，５２をそれぞれ挿入するための複数の挿入口を備え、前記複数の挿入口は、ケーブルテレビ局装置１０１の前面に設けられる挿入口、およびケーブルテレビ局装置１０１の背面に設けられる挿入口を含む。【選択図】図３
0003210041.tif 000002
【実用新案登録請求の範囲】
【請求項１】
外部記憶媒体を用いた設定が可能なケーブルテレビ局装置であって、
前記ケーブルテレビ局装置における異なる設定事項のための複数の前記外部記憶媒体をそれぞれ挿入するための複数の挿入口を備え、
前記複数の挿入口は、前記ケーブルテレビ局装置の前面に設けられる挿入口、および前記ケーブルテレビ局装置の背面に設けられる挿入口を含む、ケーブルテレビ局装置。
【請求項２】
請求項１に記載のケーブルテレビ局装置を複数備え、
前記ケーブルテレビ局装置の前記前面から他の前記ケーブルテレビ局装置の前記前面へ移動する際の動線と、前記ケーブルテレビ局装置の前記背面から他の前記ケーブルテレビ局装置の前記背面へ移動する際の動線とが交差しないように複数の前記ケーブルテレビ局装置が配置される、ケーブルテレビ局システム。
【請求項３】
前記ケーブルテレビ局装置は、ラックに収容可能であり、
前記複数の前記ケーブルテレビ局装置は、複数の前記ラックに分散して配置される、請求項２に記載のケーブルテレビ局システム。
【考案の詳細な説明】
【技術分野】
【０００１】
本考案は、ケーブルテレビ局装置およびケーブルテレビ局システムに関する。
【背景技術】
【０００２】
近年のデジタル技術の向上に伴い、テレビ放送等にデジタル技術を応用し、より多くの番組を提供するサービスが提供されている。限られた伝送帯域を使ってより多くの番組を高画質かつ高音質で提供するために、高能率圧縮および多重化技術が用いられている。
【０００３】
このようなデジタルケーブルテレビ局システムにおける技術の一例として、たとえば、特開２００６−２６２４８３号公報（特許文献１）には、デジタル放送におけるチャンネル切り替え時間を短縮するための技術が開示されている。すなわち、デジタルマルチメディア放送受信器における放送チャンネルの切り替えを制御する装置であって、伝送ストリームパケットを第１バッファリングした後に、上記切り替えられる放送チャンネルに関するプログラム情報を獲得するために、上記バッファリングされたデータからＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、およびイントラフレームを検索する第１の逆多重化部と、上記伝送ストリームパケットを第２バッファリングし、上記第１の逆多重化部で獲得したプログラム情報に基づいて、上記第２バッファリングした伝送ストリームパケットから該当放送チャンネルのオーディオ或いはビデオ伝送ストリームパケットを検索してオーディオ或いはビデオ逆多重化を遂行する第２の逆多重化部とを備える。
【先行技術文献】
【特許文献】
【０００４】
【特許文献１】特開２００６−２６２４８３号公報
【考案の概要】
【考案が解決しようとする課題】
【０００５】
ケーブルテレビ等のデジタル放送の配信事業者の局舎では、運用系および予備系の複数の配信装置が設けられる場合が多い。このような装置では、外部記憶媒体を接続して設定を変更可能な構成により、１つの外部記憶媒体を作業者が各装置に順番に挿入することで各装置の設定を容易に更新することができる。
【０００６】
その一方で、配信装置において、異なる設定事項のために複数の外部記憶媒体が用いられ、それぞれ異なる位置に挿入する必要がある場合、作業者が外部記憶媒体の挿入口を誤り、正しい設定がなされない可能性がある。
【０００７】
この考案は、上述の課題を解決するためになされたもので、その目的は、外部記憶媒体を用いた設定が可能な構成において、複数の外部記憶媒体を用いた設定作業をより円滑に行うことが可能なケーブルテレビ局装置およびケーブルテレビ局システムを提供することである。
【課題を解決するための手段】
【０００８】
（１）上記課題を解決するために、この考案のある局面に係わるケーブルテレビ局装置は、外部記憶媒体を用いた設定が可能なケーブルテレビ局装置であって、前記ケーブルテレビ局装置における異なる設定事項のための複数の前記外部記憶媒体をそれぞれ挿入するための複数の挿入口を備え、前記複数の挿入口は、前記ケーブルテレビ局装置の前面に設けられる挿入口、および前記ケーブルテレビ局装置の背面に設けられる挿入口を含む。
【０００９】
（２）上記課題を解決するために、この考案のある局面に係わるケーブルテレビ局システムは、上記（１）に記載のケーブルテレビ局装置を複数備え、前記ケーブルテレビ局装置の前記前面から他の前記ケーブルテレビ局装置の前記前面へ移動する際の動線と、前記ケーブルテレビ局装置の前記背面から他の前記ケーブルテレビ局装置の前記背面へ移動する際の動線とが交差しないように複数の前記ケーブルテレビ局装置が配置される。
【００１０】
本考案は、このような特徴的な処理部を備えるケーブルテレビ局装置として実現できるだけでなく、かかる特徴的な処理をステップとする方法として実現したり、かかるステップをコンピュータに実行させるためのプログラムとして実現したりすることができる。また、本考案は、このような特徴的な処理部を備えるケーブルテレビ局装置として実現できるだけでなく、ケーブルテレビ局装置の一部または全部を実現する半導体集積回路として実現することができる。
【考案の効果】
【００１１】
本考案によれば、外部記憶媒体を用いた設定が可能な構成において、複数の外部記憶媒体を用いた設定作業をより円滑に行うことができる。
【図面の簡単な説明】
【００１２】
【図１】図１は、本考案の実施の形態に係るケーブルテレビ局システムの構成を示す図である。
【図２】図２は、本考案の実施の形態に係るケーブルテレビ局システムにおけるケーブルテレビ局装置の構成およびスクランブル装置を示す図である。
【図３】図３は、本考案の実施の形態に係るケーブルテレビ局装置の設定機能に関する構成を示す図である。
【図４】図４は、本考案の実施の形態に係るケーブルテレビ局装置の前面構成の一例を示す図である。
【図５】図５は、本考案の実施の形態に係るケーブルテレビ局装置の背面構成の一例を示す図である。
【図６】図６は、本考案の実施の形態に係るケーブルテレビ局システムにおける各ケーブルテレビ局装置の配置の一例を示す図である。
【図７】図７は、本考案の実施の形態に係るケーブルテレビ局装置の配置の例を示す図である。
【図８】図８は、本考案の実施の形態に係るケーブルテレビ局システムにおける各ケーブルテレビ局装置の配置の他の例を示す図である。
【図９】図９は、本考案の実施の形態に係るケーブルテレビ局システムにおける各ケーブルテレビ局装置の配置の他の例を示す図である。
【考案を実施するための形態】
【００１３】
最初に、本考案の実施形態の内容を列記して説明する。
【００１４】
（１）本考案の実施の形態に係るケーブルテレビ局装置は、外部記憶媒体を用いた設定が可能なケーブルテレビ局装置であって、前記ケーブルテレビ局装置における異なる設定事項のための複数の前記外部記憶媒体をそれぞれ挿入するための複数の挿入口を備え、前記複数の挿入口は、前記ケーブルテレビ局装置の前面に設けられる挿入口、および前記ケーブルテレビ局装置の背面に設けられる挿入口を含む。
【００１５】
このように、複数の外部記憶媒体をそれぞれ挿入するための挿入口が前面および背面にそれぞれ分散して配置される構成により、作業者において外部記憶媒体の挿入先の区別がつきやすく、簡単な作業でより確実に設定を更新することができる。すなわち、たとえば同じ規格に従う外部記憶媒体を採用して製造コストおよび作業コストを低減しながら、更新作業をより円滑に行うことが可能な装置環境を提供することができる。したがって、外部記憶媒体を用いた設定が可能な構成において、複数の外部記憶媒体を用いた設定作業をより円滑に行うことができる。
【００１６】
（２）本考案の実施の形態に係るケーブルテレビ局システムは、上記（１）に記載のケーブルテレビ局装置を複数備え、前記ケーブルテレビ局装置の前記前面から他の前記ケーブルテレビ局装置の前記前面へ移動する際の動線と、前記ケーブルテレビ局装置の前記背面から他の前記ケーブルテレビ局装置の前記背面へ移動する際の動線とが交差しないように複数の前記ケーブルテレビ局装置が配置される。
【００１７】
このような構成により、上記（１）に加えて、作業者による外部記憶媒体の挿入位置の誤りを回避するとともに、複数の外部記憶媒体による作業動線の交差を回避し、ケーブルテレビ局装置の設定作業の効率をさらに高めることができる。
【００１８】
（３）好ましくは、前記ケーブルテレビ局装置は、ラックに収容可能であり、前記複数の前記ケーブルテレビ局装置は、複数の前記ラックに分散して配置される。
【００１９】
このような構成により、複数の外部記憶媒体による作業動線の交差を回避しながら、ケーブルテレビ局装置の増設および配置の自由度を高めることができる。
【００２０】
以下、本考案の実施の形態について図面を用いて説明する。なお、図中同一または相当部分には同一符号を付してその説明は繰り返さない。また、以下に記載する実施の形態の少なくとも一部を任意に組み合わせてもよい。
【００２１】
［構成］
図１は、本考案の実施の形態に係るケーブルテレビ局システムの構成を示す図である。
【００２２】
図１を参照して、ケーブルテレビ局システム２０１は、たとえばＭＰＥＧ２−ＴＳ（Ｍｏｖｉｎｇ  Ｐｉｃｔｕｒｅ  Ｅｘｐｅｒｔｓ  Ｇｒｏｕｐ  ２  Ｔｒａｎｓｐｏｒｔ  Ｓｔｒｅａｍ）規格に従うケーブルテレビ局システムであり、ケーブルテレビ局側において、ケーブルテレビ局装置１０１と、放送信号再送信装置１２１と、カプラ１２２とを備える。なお、ケーブルテレビ局システム２０１は、他の方式に従うケーブルテレビ局システムであってもよい。
【００２３】
ケーブルテレビ局システム２０１は、たとえば地上デジタル放送の放送信号とともに自主放送の放送信号を家庭側へ有線伝送する。
【００２４】
ケーブルテレビ局システム２０１において、ケーブルテレビ局装置１０１は、自主放送用の放送信号をカプラ１２２へ出力する。
【００２５】
放送信号再送信装置１２１は、たとえば地上デジタル放送の放送信号をアンテナ経由で受信し、受信した放送信号をカプラ１２２へ出力する。
【００２６】
より詳細には、ケーブルテレビ局装置１０１は、データソース１５１から自主放送用の番組を構成するコンテンツ信号たとえば映像信号および音声信号を受信し、受信した各信号の映像情報および音声情報を含むパケットをそれぞれ作成する。これらのパケットは、たとえばＭＰＥＧ２−ＴＳ方式に従うＴＳパケットであり、ヘッダ部およびペイロードにより構成される。ヘッダ部には識別子であるＰＩＤ（Ｐａｃｋｅｔ  Ｉｄｅｎｔｉｆｉｃａｔｉｏｎ）等が格納され、ペイロードには番組等に関する各種情報が格納される。
【００２７】
また、たとえば、ケーブルテレビ局装置１０１は、通信販売の番組情報を含むＴＳパケットを通信網１５０から受信し、また、ＰＣ（Ｐｅｒｓｏｎａｌ  Ｃｏｍｐｕｔｅｒ）等の端末装置１５３からＭＰＥＧ２−ＴＳ規格に従うＰＡＴ（Ｐｒｏｇｒａｍ  Ａｓｓｏｃｉａｔｉｏｎ  Ｔａｂｌｅ）およびＰＭＴ（Ｐｒｏｇｒａｍ  Ｍａｐ  Ｔａｂｌｅ）等の制御情報を含むＴＳパケットを受信する。また、ケーブルテレビ局装置１０１は、データソース１５２からＥＰＧ（Ｅｌｅｃｔｒｏｎｉｃ  Ｐｒｏｇｒａｍ  Ｇｕｉｄｅ）情報を含むＴＳパケットを受信する。
【００２８】
ケーブルテレビ局装置１０１は、受信または作成した各パケットを多重化し、多重化後の各パケットを含む放送信号を出力する。
【００２９】
ケーブルテレビ局装置１０１から出力された放送信号および放送信号再送信装置１２１から出力された放送信号は、カプラ１２２において合波されて各家庭のケーブルテレビ受信装置１６１へ送信される。
【００３０】
図２は、本考案の実施の形態に係るケーブルテレビ局システムにおけるケーブルテレビ局装置の構成およびスクランブル装置を示す図である。
【００３１】
図２を参照して、ケーブルテレビ局システム２０１は、さらに、スクランブル装置１１１を備える。ケーブルテレビ局装置１０１は、筐体Ｋと、エンコード部１１Ａ，１１Ｂと、振り直し部１２と、多重化部１３と、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号変換部１４と、ＳＤＩ入力コネクタ１Ａ，１Ｂと、ＡＳＩ入力コネクタ２Ａ，２Ｂ，２Ｃ，２Ｄと、ＡＳＩ出力コネクタ３と、ＴＳ入力コネクタ４と、ＲＦ出力コネクタ５とを備える。
【００３２】
以下、ＳＤＩ入力コネクタ１Ａ，１Ｂの各々をＳＤＩ入力コネクタ１とも称する。ＡＳＩ入力コネクタ２Ａ，２Ｂ，２Ｃ，２Ｄの各々をＡＳＩ入力コネクタ２とも称する。エンコード部１１Ａ，１１Ｂの各々をエンコード部１１とも称する。
【００３３】
図２では、ケーブルテレビ局装置１０１が、２つのＳＤＩ入力コネクタ１、４つのＡＳＩ入力コネクタ２および２つのエンコード部１１を備える例を示しているが、ケーブルテレビ局装置１０１は、さらに少数または多数のＳＤＩ入力コネクタ１、ＡＳＩ入力コネクタ２およびエンコード部１１を備える構成であってもよい。
【００３４】
また、図２では、スクランブル装置１１１がケーブルテレビ局装置１０１の外部に設けられる例を示しているが、ケーブルテレビ局装置１０１がスクランブル装置１１１を備える構成であってもよい。また、ケーブルテレビ局システム２０１は、スクランブル装置１１１を備えない構成であってもよい。
【００３５】
ＳＤＩ入力コネクタ１は、ＨＤ−ＳＤＩ（Ｈｉｇｈ  Ｄｅｆｉｎｉｔｉｏｎ  Ｓｅｒｉａｌ  Ｄｉｇｉｔａｌ  Ｉｎｔｅｒｆａｃｅ）規格またはＳＤ−ＳＤＩ（Ｓｔａｎｄａｒｄ  Ｄｅｆｉｎｉｔｉｏｎ  Ｓｅｒｉａｌ  Ｄｉｇｉｔａｌ  Ｉｎｔｅｒｆａｃｅ）規格に従う信号を筐体Ｋの外部から入力するためのコネクタである。
【００３６】
具体的には、ケーブルテレビ局装置１０１は、たとえば、上述の映像信号および音声信号をＳＤＩ入力コネクタ１において受信する。
【００３７】
ＡＳＩ入力コネクタ２は、ＡＳＩ（Ａｓｙｎｃｈｒｏｎｏｕｓ  Ｓｅｒｉａｌ  Ｉｎｔｅｒｆａｃｅ）方式の信号であるＡＳＩ信号を筐体Ｋの外部から入力するためのコネクタである。
【００３８】
具体的には、ケーブルテレビ局装置１０１は、上述の制御情報を含むパケットおよびＥＰＧ情報を含むパケット、ならびに通信網１５０からの番組情報を含むパケットをＡＳＩ入力コネクタ２において受信する。なお、ＡＳＩ入力コネクタ２において入力される情報は、自主放送用として定義されるものでなくてもよい。
【００３９】
エンコード部１１は、ＳＤＩ入力コネクタ１を介して受けた信号をエンコードしてエンコード信号を生成する。具体的には、エンコード部１１は、ＳＤＩ入力コネクタ１を介して受けた映像信号および音声信号の情報を符号化してＴＳパケットを作成し、振り直し部１２へ出力する。
【００４０】
振り直し部１２は、エンコード部１１から受けたエンコード信号に含まれるパケット識別子およびＡＳＩ入力コネクタ２から受けたＡＳＩ信号に含まれるパケット識別子が重複しないように、少なくともＡＳＩ信号に含まれるパケット識別子を変更する振り直し処理を行う。具体的には、振り直し部１２は、エンコード部１１Ａ，１１Ｂから受けた各ＴＳパケットのＰＩＤおよびＡＳＩ入力コネクタ２Ａ，２Ｂ，２Ｃ，２Ｄから受けた各ＴＳパケットのＰＩＤがユニークな値となるように各ＴＳパケットのＰＩＤを振り直す。
【００４１】
ケーブルテレビ局装置１０１において処理される各ＴＳパケットは、異なる装置または異なるエンコード部１１において作成されることから、ＰＩＤが重複する場合がある。たとえば、ケーブルテレビ局装置１０１の外部において作成されたＴＳパケットのＰＩＤは、エンコード部１１において作成されたＴＳパケットのＰＩＤと重複する場合が多い。
【００４２】
多重化部１３は、振り直し部１２による振り直し処理後のエンコード信号およびＡＳＩ信号を時間多重化する。具体的には、多重化部１３は、振り直し部１２から受けた各ＴＳパケットを時間軸方向に多重化して出力する。
【００４３】
ＡＳＩ出力コネクタ３は、多重化部１３によって時間多重化された多重化信号１を筐体Ｋの外部へ出力するためのコネクタである。
【００４４】
ＴＳ入力コネクタ４は、筐体Ｋの外部から多重化信号１と同じ形式の多重化信号２を入力するためのコネクタである。
【００４５】
より詳細には、スクランブル装置１１１は、ＡＳＩ出力コネクタ３を介して多重化部１３から受けた多重化信号１にスクランブル処理を行い、スクランブル処理後の多重化信号２をＴＳ入力コネクタ４へ出力する。具体的には、スクランブル装置１１１は、多重化部１３から受けたＴＳパケットに含まれる各種情報にスクランブル処理を行い、スクランブル処理後のＴＳパケットをＴＳ入力コネクタ４へ出力する。スクランブル装置１１１は、たとえば、指定されたＰＩＤのＴＳパケットに含まれる情報に選択的にスクランブル処理を行うことができる。
【００４６】
事業者は、ケーブルテレビ局装置１０１およびスクランブル装置１１１に対してＰＩＤを指定することにより、自主放送についてＣＡＳ（Ｃｏｎｄｉｔｉｏｎａｌ  Ａｃｃｅｓｓ  Ｓｙｓｔｅｍ）を構築し、自主放送の番組の有料化等を実施することができる。
【００４７】
ＯＦＤＭ信号変換部１４は、ＴＳ入力コネクタ４を介して受けた多重化信号２をＯＦＤＭ信号に変換する。
【００４８】
ＲＦ出力コネクタ５は、ＯＦＤＭ信号変換部１４によって変換されたＯＦＤＭ信号を筐体Ｋの外部へ出力するためのコネクタである。
【００４９】
ＯＦＤＭ信号変換部１４は、変換したＯＦＤＭ信号を放送信号としてＲＦ出力コネクタ５経由でカプラ１２２へ出力する。
【００５０】
図３は、本考案の実施の形態に係るケーブルテレビ局装置の設定機能に関する構成を示す図である。
【００５１】
図３を参照して、ケーブルテレビ局装置１０１は、さらに、設定部１５と、書き込み制御部１６と、不揮発性メモリ１７と、揮発性メモリ１８と、操作部１９と、表示制御部２０と、接続部２１，２２と、表示部２３と、プラグ２４とを備える。
【００５２】
ケーブルテレビ局装置１０１は、複数の外部記憶媒体を用いた設定が可能である。より詳細には、外部記憶媒体５１，５２は、たとえばＣＦ（Ｃｏｍｐａｃｔ  Ｆｌａｓｈ）カードである。外部記憶媒体５１には、エンコード部１１、振り直し部１２および多重化部１３において用いられる各種パラメータが保存されている。外部記憶媒体５２には、ＯＦＤＭ信号変換部１４において用いられる各種パラメータが保存されている。なお、外部記憶媒体５１，５２には、このような記憶データのバージョン情報がさらに保存されてもよい。
【００５３】
接続部２１，２２は、外部記憶媒体５１，５２をそれぞれ接続可能である。より詳細には、接続部２１，２２は、それぞれ、外部記憶媒体５１，５２を接続可能な構造であり、コネクタ等により構成される挿入口を有する。これらの挿入口は、ケーブルテレビ局装置１０１における異なる設定事項のための外部記憶媒体５１，５２をそれぞれ挿入するための挿入口である。
【００５４】
接続部２１，２２は、それぞれ、外部記憶媒体５１，５２が挿入口に差し込まれると、たとえば論理ハイレベルまたは論理ローレベルの接続信号を書き込み制御部１６および表示制御部２０へ出力する。
【００５５】
書き込み制御部１６は、それぞれ、接続部２１，２２から接続信号を受けると、外部記憶媒体５１，５２の記憶データを揮発性メモリ１８に書き込む。
【００５６】
表示制御部２０は、それぞれ、接続部２１，２２から接続信号を受けると、表示部２３を制御することにより、外部記憶媒体５１，５２がケーブルテレビ局装置１０１に正常に接続された旨を表示する。具体的には、たとえば、表示制御部２０は、接続部２１または接続部２２から接続信号を受けて、表示部２３における対応のＬＥＤ（Ｌｉｇｈｔ  Ｅｍｉｔｔｉｎｇ  Ｄｉｏｄｅ）を点灯する。
【００５７】
操作部１９は、ケーブルテレビ局装置１０１に設けられたデータ書き込み用の操作ボタン等に対するユーザの操作を受けると、操作信号１を書き込み制御部１６へ出力する。
【００５８】
書き込み制御部１６は、操作部１９から操作信号１を受けると、揮発性メモリ１８に書き込まれた記憶データを判定し、判定結果に応じて当該記憶データを不揮発性メモリ１７に書き込む。より詳細には、書き込み制御部１６は、当該記憶データの正当性をチェックサム等を用いて判定し、当該記憶データが正当であると判定した場合、当該記憶データを不揮発性メモリ１７に書き込む。
【００５９】
プラグ２４がコンセント等の電源側から外されてケーブルテレビ局装置１０１への電力供給が停止し、その後、再びプラグ２４がコンセント等に差し込まれて当該電力供給が再開されると、設定部１５は、不揮発性メモリ１７に書き込まれている最新の記憶データに基づいて、エンコード部１１、振り直し部１２、多重化部１３およびＯＦＤＭ信号変換部１４の動作設定を行う。これにより、ケーブルテレビ局装置１０１における各ユニットは、最新のパラメータに従って動作する。
【００６０】
また、表示部２３は、ケーブルテレビ局装置１０１に対する操作内容に応じてエンコード部１１、振り直し部１２、多重化部１３およびＯＦＤＭ信号変換部１４の動作設定の内容を表示する。
【００６１】
より詳細には、操作部１９は、ケーブルテレビ局装置１０１に設けられた設定表示用の操作ボタン等に対するユーザの操作を受けると、操作信号２を表示制御部２０へ出力する。
【００６２】
表示制御部２０は、操作部１９から操作信号２を受けると、表示部２３を制御することにより、表示部２３におけるＬＣＤ（Ｌｉｑｕｉｄ  Ｃｒｙｓｔａｌ  Ｄｉｓｐｌａｙ）等に上記動作設定の内容およびバージョン情報等を表示する。
【００６３】
ケーブルテレビ等の放送配信事業者の局舎では、運用系および予備系の複数のケーブルテレビ局装置１０１等の配信装置が設けられる場合が多い。ケーブルテレビ局装置１０１では、外部記憶媒体５１，５２を接続して動作設定を変更可能な構成により、１つの外部記憶媒体を作業者が各装置に順番に挿入することで各装置の動作設定を容易に更新することができる。また、装置を操作して記憶データをネットワークからダウンロードするような技術レベルの高い作業を事業者において行う必要がなく、簡単な作業でより確実に動作設定を更新することができる。
【００６４】
図４は、本考案の実施の形態に係るケーブルテレビ局装置の前面構成の一例を示す図である。
【００６５】
図４を参照して、ケーブルテレビ局装置１０１は、たとえば、各種部品が実装されたプリント基板が筐体Ｋに収容された構造を有しており、筐体Ｋの側面の１つである前面８１に、図３に示す操作部１９、接続部２１および表示部２３に含まれる各種部品、ならびにモニタ用の各種コネクタが設けられている。
【００６６】
具体的には、ケーブルテレビ局装置１０１は、前面８１に配置された、外部記憶媒体５１を挿入するための挿入口６１と、ＬＥＤ６２と、操作ボタン６３と、ＬＣＤ６４と、モニタコネクタ６５とを備える。
【００６７】
ＬＥＤ６２は、外部記憶媒体５１がケーブルテレビ局装置１０１に正常に接続された場合に点灯する。より詳細には、ＬＥＤ６２は、挿入口６１に外部記憶媒体５１が挿入されると、表示制御部２０の制御に従って点灯する。
【００６８】
操作ボタン６３は、前述のデータ書き込み用の操作ボタンおよび設定表示用の操作ボタンに相当する。
【００６９】
ＬＣＤ６４には、図３に示す各ユニットの動作設定の内容およびバージョン情報等が表示される。
【００７０】
図５は、本考案の実施の形態に係るケーブルテレビ局装置の背面構成の一例を示す図である。
【００７１】
図５を参照して、ケーブルテレビ局装置１０１は、筐体Ｋの側面の１つである背面８２に、図３に示す接続部２２および表示部２３に含まれる各種部品、電源用の部品、ならびに前述の入力コネクタおよび出力コネクタ等の各種コネクタが設けられている。
【００７２】
具体的には、ケーブルテレビ局装置１０１は、背面８２に配置された、外部記憶媒体５２を挿入するための挿入口７１と、ＬＥＤ７２と、信号コネクタ７３と、電源用コネクタ７４とを備える。
【００７３】
ＬＥＤ７２は、外部記憶媒体５２がケーブルテレビ局装置１０１に正常に接続された場合に点灯する。より詳細には、ＬＥＤ７２は、挿入口７１に外部記憶媒体５２が挿入されると、表示制御部２０の制御に従って点灯する。
【００７４】
電源用コネクタ７４には、図３に示すプラグ２４のケーブル側のコネクタが接続される。
【００７５】
ケーブルテレビ局装置１０１の設定更新の時期が到来すると、作業者は、放送配信事業者の局舎において、設定情報の保存されている外部記憶媒体を各ケーブルテレビ局装置１０１へ順番に挿入し、たとえば前述のように操作ボタンおよびプラグ２４を用いて各装置の設定を更新していく。
【００７６】
ここで、ケーブルテレビ局装置１０１の動作を停止できる時間は一般的に制限されており、また、設定更新の時期が年単位である場合、作業者において更新作業が初めてとなることが想定される。
【００７７】
このような場合、作業者は、初めての更新作業をマニュアル等を参照しながら短時間に完了させる必要があり、作業の困難性は高い。
【００７８】
ここで、外部記憶媒体５１，５２が、たとえば前述のように同じＣＦカードである場合、物理的には挿入口７１，６１にそれぞれ挿入することが可能である。
【００７９】
そして、ケーブルテレビ局装置１０１において挿入口６１，７１が同じような場所に配置されていると仮定した場合、作業者が、外部記憶媒体を誤った挿入口に挿入してしまいやすく、更新作業が円滑に行われない可能性がある。
【００８０】
これに対して、ケーブルテレビ局装置１０１では、外部記憶媒体５１，５２をそれぞれ挿入するための挿入口６１，７１が異なる面に分散して配置されている。このような構成により、たとえば同じ規格に従う外部記憶媒体を採用して製造コストおよび作業コストを低減しながら、上記のような作業状況においても、作業者において外部記憶媒体の挿入先の区別がつきやすく、更新作業をより円滑に行うことが可能な装置環境を提供することができる。
【００８１】
図６は、本考案の実施の形態に係るケーブルテレビ局システムにおける各ケーブルテレビ局装置の配置の一例を示す図である。
【００８２】
図６を参照して、ケーブルテレビ局装置１０１は、たとえばラック９１に収容可能である。ラック９１は、ケーブルテレビ局装置１０１を含む各種装置を上下方向に並べて収容することが可能である。
【００８３】
この例では、放送配信事業者の局舎に２つのラック９１が設けられており、各ラック９１にケーブルテレビ局装置１０１が１つずつ分散して配置されている。
【００８４】
たとえば放送システムの拡張によってケーブルテレビ局装置１０１が増設される場合、追加されるケーブルテレビ局装置１０１のラック９１への収容箇所は、ラック９１における各種装置の収容状況等に応じて任意に決定され、不定である場合が多い。図６に示す例では、隣り合うラック９１において上下方向の異なる位置にケーブルテレビ局装置１０１が配置されている。
【００８５】
ケーブルテレビ局装置１０１では、外部記憶媒体５１，５２をそれぞれ挿入するための挿入口６１，７１が異なる面に分散して配置される構成により、このように上下方向の異なる位置にケーブルテレビ局装置１０１が配置されている状況でも、一定レベルの作業の容易性を確保することができ、恒常性の高いシステムを提供することができる。
【００８６】
図７は、本考案の実施の形態に係るケーブルテレビ局装置の配置の例を示す図である。
【００８７】
図７を参照して、この例では、局舎において２つのラック９１が反対向きに設置されており、各ラック９１間でケーブルテレビ局装置１０１の前面８１および背面８２の位置関係が反対である。
【００８８】
このような場合、外部記憶媒体５１を用いた更新作業の動線４１と外部記憶媒体５２を用いた更新作業の動線４２とが交差する。
【００８９】
これに対して、図６に示す例では、局舎において２つのラック９１が同じ向きに設置されており、各ラック９１間でケーブルテレビ局装置１０１の前面８１および背面８２の位置関係が同じである。この場合、外部記憶媒体５１，５２を用いた更新作業の動線はそれぞれラック９１の１つの面側に収まることから、各動線が交差しない。
【００９０】
すなわち、ケーブルテレビ局システム２０１では、ケーブルテレビ局装置１０１の前面８１から他のケーブルテレビ局装置１０１の前面８１へ移動する際の動線４１と、ケーブルテレビ局装置１０１の背面８２から他のケーブルテレビ局装置１０１の背面８２へ移動する際の動線４２とが交差しないように複数のケーブルテレビ局装置１０１が配置される。
【００９１】
これにより、複数の外部記憶媒体の作業動線の交差を回避し、ケーブルテレビ局装置１０１の設定作業の効率をさらに高めることができる。
【００９２】
図８は、本考案の実施の形態に係るケーブルテレビ局システムにおける各ケーブルテレビ局装置の配置の他の例を示す図である。
【００９３】
図８を参照して、この例では、図６に示す各ラック９１の一方を９０度回転させたような位置に各ラック９１が配置されている。
【００９４】
この場合も、外部記憶媒体５１を用いた更新作業の動線４１と外部記憶媒体５２を用いた更新作業の動線４２とが交差せず、ケーブルテレビ局装置１０１の設定作業の効率を高めることが可能となる。
【００９５】
図９は、本考案の実施の形態に係るケーブルテレビ局システムにおける各ケーブルテレビ局装置の配置の他の例を示す図である。
【００９６】
図９を参照して、この例では、局舎における１つのラック９１に２つのケーブルテレビ局装置１０１が収容されている。
【００９７】
この場合も、外部記憶媒体５１，５２を用いた更新作業の動線はそれぞれラック９１の１つの面側に収まることから、各動線が交差せず、ケーブルテレビ局装置１０１の設定作業の効率を高めることが可能となる。
【００９８】
なお、本考案の実施の形態に係るケーブルテレビ局装置では、外部記憶媒体５１を用いてエンコード部１１、振り直し部１２および多重化部１３の設定を行い、外部記憶媒体５２を用いてＯＦＤＭ信号変換部１４の設定を行う構成であるとしたが、これに限定するものではない。外部記憶媒体５１による設定対象および外部記憶媒体５２による設定対象は任意に決定可能である。また、ケーブルテレビ局装置１０１は、外部記憶媒体５１，５２を用いて、異なる設定事項を共通の設定対象のユニットに設定可能な構成であってもよい。
【００９９】
また、本考案の実施の形態に係るケーブルテレビ局装置は、前面８１に設けられる１つの挿入口および背面８２に設けられる１つの挿入口を備える構成であるとしたが、これに限定するものではない。ケーブルテレビ局装置１０１は、自己における異なる設定事項のための複数の外部記憶媒体をそれぞれ挿入するための複数の挿入口を備え、これら複数の挿入口が、前面８１に設けられる挿入口、および背面８２に設けられる挿入口を含む構成であればよい。
【０１００】
また、本考案の実施の形態に係るケーブルテレビ局装置では、２つの外部記憶媒体を用いて設定を行う構成であるとしたが、これに限定するものではない。３つ以上の外部記憶媒体を用いて設定を行う構成であってもよい。
【０１０１】
また、本考案の実施の形態に係るケーブルテレビ局装置では、書き込み制御部１６が、揮発性メモリ１８に書き込まれた記憶データを判定して不揮発性メモリ１７に書き込む構成であるとしたが、これに限定するものではない。ケーブルテレビ局装置１０１は、揮発性メモリ１８を備えず、書き込み制御部１６が、外部記憶媒体５１，５２の記憶データの判定を行わずに不揮発性メモリ１７に書き込む構成であってもよい。
【０１０２】
また、本考案の実施の形態に係るケーブルテレビ局装置は、操作および表示に関する操作部１９、表示制御部２０および表示部２３を備えない構成であってもよい。
【０１０３】
ところで、外部記憶媒体を接続して設定を変更可能な構成の配信装置において、異なる設定事項のために複数の外部記憶媒体が用いられ、それぞれ異なる位置に挿入する必要がある場合、作業者が外部記憶媒体の挿入口を誤り、正しい設定がなされない可能性がある。
【０１０４】
これに対して、本考案の実施の形態に係るケーブルテレビ局装置では、ケーブルテレビ局装置１０１は、複数の外部記憶媒体を用いた設定が可能であり、自己における異なる設定事項のための複数の外部記憶媒体をそれぞれ挿入するための複数の挿入口を備える。そして、これら複数の挿入口は、ケーブルテレビ局装置１０１の前面８１に設けられる挿入口６１、およびケーブルテレビ局装置１０１の背面８２に設けられる挿入口７１を含む。
【０１０５】
このように、外部記憶媒体５１，５２をそれぞれ挿入するための挿入口６１，７１が前面８１および背面８２にそれぞれ分散して配置される構成により、作業者において外部記憶媒体の挿入先の区別がつきやすく、簡単な作業でより確実に設定を更新することができる。すなわち、たとえば同じ規格に従う外部記憶媒体を採用して製造コストおよび作業コストを低減しながら、更新作業をより円滑に行うことが可能な装置環境を提供することができる。
【０１０６】
したがって、本考案の実施の形態に係るケーブルテレビ局装置では、外部記憶媒体を用いた設定が可能な構成において、複数の外部記憶媒体を用いた設定作業をより円滑に行うことができる。
【０１０７】
また、本考案の実施の形態に係るケーブルテレビ局システムでは、ケーブルテレビ局装置１０１の前面８１から他のケーブルテレビ局装置１０１の前面８１へ移動する際の動線４１と、ケーブルテレビ局装置１０１の背面８２から他のケーブルテレビ局装置１０１の背面８２へ移動する際の動線４２とが交差しないように複数のケーブルテレビ局装置１０１が配置される。
【０１０８】
このような構成により、作業者による外部記憶媒体の挿入位置の誤りを回避するとともに、複数の外部記憶媒体による作業動線の交差を回避し、ケーブルテレビ局装置１０１の設定作業の効率をさらに高めることができる。
【０１０９】
また、本考案の実施の形態に係るケーブルテレビ局システムでは、ケーブルテレビ局装置１０１は、ラック９１に収容可能である。そして、ケーブルテレビ局システム２０１における複数のケーブルテレビ局装置１０１は、複数のラック９１に分散して配置される。
【０１１０】
このような構成により、複数の外部記憶媒体による作業動線の交差を回避しながら、ケーブルテレビ局装置１０１の増設および配置の自由度を高めることができる。
【０１１１】
上記実施の形態は、すべての点で例示であって制限的なものではないと考えられるべきである。本考案の範囲は、上記説明ではなく実用新案登録請求の範囲によって示され、実用新案登録請求の範囲と均等の意味および範囲内でのすべての変更が含まれることが意図される。
【０１１２】
以上の説明は、以下に付記する特徴を含む。
［付記１］
外部記憶媒体を用いた設定が可能なケーブルテレビ局装置であって、
前記ケーブルテレビ局装置における異なる設定事項のための複数の前記外部記憶媒体をそれぞれ挿入するための複数の挿入口を備え、
前記複数の挿入口は、前記ケーブルテレビ局装置の前面に設けられる挿入口、および前記ケーブルテレビ局装置の背面に設けられる挿入口であり、
前記複数の外部記憶媒体は、同じ規格に従う記憶媒体であり、ＣＦカードである、ケーブルテレビ局装置。
【符号の説明】
【０１１３】
１Ａ，１Ｂ  ＳＤＩ入力コネクタ
２Ａ，２Ｂ，２Ｃ，２Ｄ  ＡＳＩ入力コネクタ
３  ＡＳＩ出力コネクタ
４  ＴＳ入力コネクタ
５  ＲＦ出力コネクタ
１１Ａ，１１Ｂ  エンコード部
１２  振り直し部
１３  多重化部
１４  ＯＦＤＭ信号変換部
１５  設定部
１６  書き込み制御部
１７  不揮発性メモリ
１８  揮発性メモリ
１９  操作部
２０  表示制御部
２１，２２  接続部
２３  表示部
２４  プラグ
５１，５２  外部記憶媒体
６１  挿入口
６２  ＬＥＤ
６３  操作ボタン
６４  ＬＣＤ
６５  モニタコネクタ
７１  挿入口
７２  ＬＥＤ
７３  信号コネクタ
７４  電源用コネクタ
８１  前面
８２  背面
９１  ラック
１０１  ケーブルテレビ局装置
１１１  スクランブル装置
１２１  放送信号再送信装置
１２２  カプラ
２０１  ケーブルテレビ局システム
Ｋ  筐体
【図１】
0003210041.tif 000003
【図２】
0003210041.tif 000004
【図３】
0003210041.tif 000005
【図４】
0003210041.tif 000006
【図５】
0003210041.tif 000007
【図６】
0003210041.tif 000008
【図７】
0003210041.tif 000009
【図８】
0003210041.tif 000010
【図９】
0003210041.tif 000011